(57)【要約】【課題】密封装置を装着したベアリングをハウジングに設けられた取付孔に組み込むときに、ハウジングとベアリングの外輪との隙間をシールすることができる密封装置であって、シール本体部の成形が容易であって、しかも確実にシールすることができる密封装置を提供する。【解決手段】外輪２１に嵌合している芯金３に加硫結合している固定密封部４１の大気側端部４３に設けられた突起部６の外径を突起部６の先端６１と対向するハウジング７の端面７１の内径より大きくし、突起部６をハウジング７に当接させて密封することとした。【選択図】図１
2006090393.tif 000002
【特許請求の範囲】
【請求項１】
ハウジングに設けられた取付孔に相対可動するように組み込まれた外輪と内輪とにより形成される環状空間をシールし、前記外輪に嵌合している芯金にシール部と固定密封部が一体加硫成形により結合している密封装置において、
前記固定密封部の大気側端部に設けられた突起部の外径を該突起部の先端と対向する前記ハウジングの端面の内径より大きくし、前記突起部を前記ハウジングに当接させて密封したことを特徴とする密封装置。
【発明の詳細な説明】
【技術分野】
【０００１】
本発明は、ベアリングに装着される密封装置の一種であるハブベアリングオイルシールに関するものである。
【背景技術】
【０００２】
従来、図３に示すように、密封装置の一種であるハブベアリングオイルシール１０１は、自動車のナックル１０２に設けられた取付孔１０３に組み込まれているベアリングの外輪１０４と、外輪１０４と同軸的に内周側に回転自在に支持されたベアリングの内輪１０５とにより形成された環状空間をシールするもので、外輪１０４に嵌合している芯金１０６と、芯金１０６にシール部１０７と固定密封部１０８とが一体加硫成形により結合しているシール本体部１０９と、シール部１０７が密接に摺動するスリンガ１１０、とを備えている。オイルシール１０１が装着されたベアリングをナックル１０２に組み込んだときに、ナックル１０２とベアリングの外輪１０４との間に軸方向の隙間１１１が発生し、隙間１１１に泥水等の異物が浸入しベアリングの外輪１０４に錆が発生する原因となり、その錆び付きにより市場でのメイテナンスができなくなる可能性があった。そのため、隙間１１１をＯリング等のシール部品でシールしているが、部品点数が増加する等の問題点を有していた。
【０００３】
その対策として、下記特許文献１には、図４に示すように、ベアリングの外輪１０４に嵌合しているオイルシール１０１の芯金１０６に第二のシールリップ１１２を設け、第二のシールリップ１１２で隙間１１１をシールすることが提案されている。しかし、第二のシールリップ１１２を設けた場合、シール本体部１０９の形状が複雑となり成形性が困難であること、第二のシールリップ１１２が設けられたオイルシール１０１を装着したベアリングをナックル１０２の取付孔１０３に組み込むときに第二のシールリップ１１２がめくれる等し確実にシールすることができない等の不具合があり、かかる不具合を解消するような第二シールリップ形状１１２の設計も困難であった。
【０００４】
【特許文献１】特開２００２−２０６５４７公報
【発明の開示】
【発明が解決しようとする課題】
【０００５】
本発明は上記の問題点に鑑みてされたもので、密封装置を装着したベアリングをハウジングに設けられた取付孔に組み込むときに、ハウジングとベアリングの外輪との隙間をシールすることができる密封装置であって、シール本体部の成形が容易であって、しかも確実にシールすることができる密封装置を提供することを目的とする。
【課題を解決するための手段】
【０００６】
上記目的を達成するため、本発明の請求項１に係る密封装置は、ハウジングに設けられた取付孔に相対可動するように組み込まれた外輪と内輪とにより形成される環状空間をシールし、前記外輪に嵌合している芯金にシール部と固定密封部が一体加硫成形により結合している密封装置において、
前記固定密封部の大気側端部に設けられた突起部の外径を該突起部の先端と対向する前記ハウジングの端面の内径より大きくし、前記突起部を前記ハウジングに当接させて密封したことを特徴とするものである。
【発明の効果】
【０００７】
本発明は、以下の効果を奏する。
【０００８】
すなわち、上記構成を備えた本発明の密封装置は、固定密封部の大気側端部に突起部を設けた形状であるので、設計が容易になるとともに、シール本体部の成形も容易にすることができる。更に、ハウジングと外輪との隙間をシールリップではなく突起部でシールするので、密封装置が装着された外輪をハウジングに設けられた取付孔に組み込むときにシールリップがめくれる等の不具合の発生がなく、しかも突起部の外径がハウジングの内径より大きく、突起部がハウジングに当接して密封するので、確実にシールすることができる。
【発明を実施するための最良の形態】
【０００９】
以下に図面を参照して、この発明の好適な実施の形態を例示して説明する。ただし、この発明の範囲は、特に限定的記載がないかぎりは、この実施の形態に記載されている内容に限定する趣旨のものではない。
【００１０】
図１は、本発明に係るオイルシール１の要部断面を示しており、このオイルシール1は、ベアリングを構成する外輪２１に嵌合しているし芯金３と、芯金３に加硫結合しているシール本体部４と、シール本体部４に対向しベアリングを構成する内輪２２に嵌合しているスリンガ５とを備えている。
【００１１】
芯金３は金属製であって、外輪２１の内周面に嵌合している第一円筒部３１と、第一円筒部３１の大気側（外部側）端部から内周方向外部側に斜めに延びる第一斜行部３２と、第一斜行部３２の内周側端部から外部方向に延びる第二円筒部３３と、第一円筒部３１の密封対象側（内部側）端部から内周方向に延びる第一フランジ部３４と、第一フランジ部３４の内周側端部から内周方向外部側に斜めに延びる第二斜行部３５と、第二斜行部３５の内周側端部から内周方向に延びる第二フランジ部３６とからなる。スリンガ５は金属製であって、内輪の外周面に嵌合する円筒部５１と、円筒部の外部側端部から外周方向に延びるフランジ部５２とからなり略Ｌ字形状をしている。
【００１２】
シール本体部４は、ゴム状弾性体であって、芯金３の第一斜行部３２と第二円筒部３３を外周側から内周側にかけて覆うとともに、第一円筒部３１の内周側、第一フランジ部３４の外部側、および第二斜行部３５の外部側に加硫結合している固定密封部４１と、固定密封部４１と一体に成形されスリンガ５のフランジ部５２の内部側面を摺動する第一シールリップ４２ａと、スリンガ５の円筒部５１の外周面を摺動する第二シールリップ４２ｂと、第二シールリップ４２ｂより内部側に位置する第三シールリップ４２ｃとからなり、第二フランジ部３６の内周側端部を覆うように加硫結合しているシール部４２とからなる。
【００１３】
固定密封部４１の外部側端部４３には、全周に亙り突起部６が設けられている。突起部６の先端６１は、オイルシール１が装着されているベアリングの外輪２１が組み込まれるナックル７に当接している。すなわち、突起部６の先端６１の外径が、先端６１と対向するナックル７の内部側端面７１の内径より大きいため、突起６が圧縮変形して密封するようにナックル７と当接し、ナックル７と外輪２１との隙間８をシールしている。
【００１４】
上記構成においては、固定密封部４１の外部側端部４３に突起部６を設けた形状であるので、設計が容易になるとともに、シール本体部４の成形も容易に行うことが可能となる。更に、ナックル７と外輪２１との隙間８をシールリップでシールするのではなく、突起部６の先端部６１と対向しているナックル７の内部側端面７１に突起部６を当接させて圧縮変形によりシールするので、外輪２１に装着したオイルシール１をナックル７に組み込むときにシールリップがめくれる等の不具合の発生がなく、確実にシールすることが可能となる。
【００１５】
図２は、外輪２１に嵌合している芯金３の形状を変更したもので、芯金３が、全面に亙って外輪２１と直接嵌合し、固定密封部４１が芯金３の外周側に結合していない場合である。この場合においても、固定密封部４１の外部側端部４３に突起６が形成されているので、図１における先の実施例と同様の作用、効果を奏することが可能となる。
【００１６】
なお、上記実施例において、オイルシール単独の場合について例示したが、スリンガ５のフランジ部５２の外部側端面に磁気エンコーダを結合した状態で実施することも可能である。
【図面の簡単な説明】
【００１７】
【図１】本発明の第一実施例に係るオイルシールの一部断面図
【図２】本発明の第二実施例に係るオイルシールの一部断面図
【図３】従来例に係るオイルシールの一部断面図
【図４】別の従来例に係るオイルシールの一部断面図
【符号の説明】
【００１８】
１  オイルシール（密封装置）
３  芯金
３１，３３  円筒部
３２，３５  斜行部
３４，３６  フランジ部
４  シール本体部
４１  固定密封部
４２  シール部
４２ａ，４２ｂ，４２ｃ  シールリップ
４３  端部
５  スリンガ
５１  円筒部
５２  フランジ部
６  突起部
６１  先端
７  ナックル（ハウジング）
７１  端面
８  隙間
２１  外輪
２２  内輪
【図１】
2006090393.tif 000003
【図２】
2006090393.tif 000004
【図３】
2006090393.tif 000005
【図４】
2006090393.tif 000006
【手続補正書】
【提出日】平成16年11月2日(2004.11.2)
【手続補正１】
【補正対象書類名】図面
【補正対象項目名】全図
【補正方法】変更
【補正の内容】
【図１】
2006090393.tif 000007
【図２】
2006090393.tif 000008
【図３】
2006090393.tif 000009
【図４】
2006090393.tif 000010